(57)【要約】      （修正有）【課題】ハウジング本体に設けられている作業用開口の開きを抑制し、もってハウジング本体とカバーとの間の密閉性をより向上させること。【解決手段】機器の筐体２の嵌合穴２０に嵌合されて取り付けられるコネクタ１であって、端子挿入口４６を有する側壁部４３と中継端子挿入口４７を有する底壁部４４とが有底筒状に形成され、底壁部と対向する作業用開口４５を有するハウジング本体４０と、中継端子挿入口の開口縁部から外に向かって筒状に延伸しており、嵌合穴に嵌合挿入される嵌合部４１と、端子挿入口からハウジング本体内に挿入される導電性の端子３３と、嵌合部の内側に挿入され、端子と筐体内の相手側端子２１とを中継する導電性の中継端子３２と、作業用開口からハウジング本体内に圧入されて作業用開口を塞ぐカバー３８と、側壁部の外面に一体に設けられており、ハウジング本体の外周方向に沿って延びているリブ４９と、を備える。【選択図】図１
2017016844.tif 000002
【特許請求の範囲】
【請求項１】
機器の筐体に設けられている嵌合穴に嵌合されて前記筐体に取り付けられるコネクタであって、
端子挿入口が設けられている側壁部と中継端子挿入口が設けられている底壁部とを有する有底筒状に形成されており、前記底壁部と対向する作業用開口を有するハウジング本体と、
前記中継端子挿入口の開口縁部から外に向かって筒状に延伸しており、前記嵌合穴に嵌合挿入される嵌合部と、
前記端子挿入口から前記ハウジング本体内に挿入される導電性の端子と、
前記嵌合部の内側に挿入され、前記端子と前記筐体内の相手側端子とを中継する導電性の中継端子と、
前記作業用開口から前記ハウジング本体内に圧入されて前記作業用開口を塞ぐカバーと、
前記側壁部の外面に一体に設けられており、前記ハウジング本体の外周方向に沿って延びているリブと、
を備えるコネクタ。
【請求項２】
前記側壁部は４つの側壁を有する略角筒状に形成されており、
前記４つの側壁のうちいずれかの前記側壁には前記端子挿入口が設けられているとともに、当該側壁の外面に前記端子挿入口を囲む筒状部が一体に設けられており、
前記リブは、前記端子挿入口が形成されている前記側壁以外の前記側壁のうち少なくとも前記外周方向の幅が最も広い前記側壁に設けられている、請求項１に記載のコネクタ。
【請求項３】
前記リブは、前記端子挿入口が形成されている前記側壁以外の全ての前記側壁に設けられている、請求項２に記載のコネクタ。
【請求項４】
前記リブは、前記側壁部の前記作業用開口側の縁部に沿って設けられている、請求項１乃至請求項３のいずれか一項に記載のコネクタ。
【請求項５】
前記側壁部の少なくとも一部は、前記カバーの前記底壁部側の先端より前記底壁部側が前記ハウジング本体の内側に張り出すことによって肉厚になっている、請求項１乃至請求項４のいずれか一項に記載のコネクタ。
【請求項６】
前記側壁部は４つの側壁を有する略角筒状に形成されており、
前記４つの側壁のうちいずれかの前記側壁には前記端子挿入口が設けられているとともに、当該側壁の外面に前記端子挿入口を囲む筒状部が一体に設けられており、
前記端子挿入口が形成されている前記側壁以外の全ての前記側壁は、前記カバーの前記底壁部側の先端より前記底壁部側が前記ハウジング本体の内側に張り出すことによって肉厚になっている、請求項５に記載のコネクタ。
【発明の詳細な説明】
【技術分野】
【０００１】
作業用開口を有するコネクタに関する。
【背景技術】
【０００２】
従来、機器の筐体に設けられた嵌合穴に嵌合されるコネクタが知られている（例えば、特許文献１参照）。特許文献１に記載のシールドコネクタは、側壁部と底壁部とを有する有底筒状に形成されている合成樹脂製のハウジング本体、電線が接続されている基端側端子、基端側端子にボルト締結によって接続される先端側端子、サービスカバー（以下、カバーという）などを備えている。ハウジング本体は底壁部と対向する作業用開口を有しており、カバーが作業用開口からハウジング本体の内側に圧入されることでハウジング本体の内部が止水される。
【先行技術文献】
【特許文献】
【０００３】
【特許文献１】特開２０１５−１８６９５号公報
【発明の概要】
【発明が解決しようとする課題】
【０００４】
ところで、ハウジング本体の内側から側壁部に高い内圧がかかると側壁部が反って作業用開口が開いてしまう虞がある。作業用開口が開いてしまうとハウジング本体とカバーとの間の密閉性が損なわれてしまう。
【０００５】
本明細書では、ハウジング本体に設けられている作業用開口の開きを抑制し、もってハウジング本体とカバーとの間の密閉性をより向上させる技術を開示する。
【課題を解決するための手段】
【０００６】
本明細書で開示するコネクタは、機器の筐体に設けられている嵌合穴に嵌合されて前記筐体に取り付けられるコネクタであって、端子挿入口が設けられている側壁部と中継端子挿入口が設けられている底壁部とを有する有底筒状に形成されており、前記底壁部と対向する作業用開口を有するハウジング本体と、前記中継端子挿入口の開口縁部から外に向かって筒状に延伸しており、前記嵌合穴に嵌合挿入される嵌合部と、前記端子挿入口から前記ハウジング本体内に挿入される導電性の端子と、前記嵌合部の内側に挿入され、前記端子と前記筐体内の相手側端子とを中継する導電性の中継端子と、前記作業用開口から前記ハウジング本体内に圧入されて前記作業用開口を塞ぐカバーと、前記側壁部の外面に一体に設けられており、前記ハウジング本体の外周方向に沿って延びているリブと、を備える。
【０００７】
上記のコネクタによると、側壁部の外面にハウジング本体の外周方向に沿って延びているリブが設けられているので、リブが設けられていない場合に比べて作業用開口の開きを抑制できる。これによりハウジング本体とカバーとの間の密閉性がより向上する。
【０００８】
ところで、コネクタを筐体に取り付けた後にメンテナンスなどのためにコネクタを取り外したい場合もある。その場合、従来は側壁部の外面にリブが設けられていなかったため作業者は指を掛ける場所がなく、コネクタを取り外し難かった。
上記のコネクタによると、側壁部の外面にハウジング本体の外周方向に沿って延びているリブが設けられているので、作業者はリブに指を掛けることにより、コネクタを取り外し易くなる。このため取り外し作業の作業効率が向上する。
【０００９】
また、前記側壁部は４つの側壁を有する略角筒状に形成されており、前記４つの側壁のうちいずれかの前記側壁には前記端子挿入口が設けられているとともに、当該側壁の外面に前記端子挿入口を囲む筒状部が一体に設けられており、前記リブは、前記端子挿入口が形成されている前記側壁以外の前記側壁のうち少なくとも前記外周方向の幅が最も広い前記側壁に設けられていてもよい。
【００１０】
端子挿入口が形成されている側壁は筒状部が一体に設けられているため他の側壁に比べて開きが生じ難い。逆に言うと、他の側壁は端子挿入口が形成されている側壁に比べて開き易い。特に、外周方向の幅が最も広い側壁は最も開き易い。このため、端子挿入口が形成されている側壁以外の側壁のうち少なくとも外周方向の幅が最も広い側壁にリブを設けると、ハウジング本体の全周に亘ってリブを設ける場合に比べてリブを設ける範囲を狭くしつつ作業用開口の開きを抑制できる。
【００１１】
また、前記リブは、前記端子挿入口が形成されている前記側壁以外の全ての前記側壁に設けられていてもよい。
【００１２】
上記のコネクタによると、作業用開口の開きをより確実に抑制できる。
【００１３】
また、前記リブは、前記側壁部の前記作業用開口側の縁部に沿って設けられていてもよい。
【００１４】
上記のコネクタによると、作業用開口側の縁部から底壁部側に離間した位置にリブが設けられている場合に比べて作業用開口の開きを抑制できる。
【００１５】
ところで、作業用開口側の縁部から底壁部側に離間した位置にリブが設けられている場合、作業者はコネクタを筐体に取り付けるときに側壁部の端面を手で押すことになり、十分に力を加えることが難しい上、作業者の手が痛くなってしまう。また、手が痛くならないようコネクタのハウジング本体以外の部分を押し込むと斜め挿入となってしまい、最後まで挿入するためにより高い挿入荷重が必要となってしまう。
これに対し、上記のコネクタによると、リブが側壁部の作業用開口側の縁部に沿って設けられているので、作業者はリブに手を当てて押し込むことができ、それによりコネクタに十分に力を加えることができるとともに、手も痛くなり難い。また、ハウジング本体自体を押し込むため斜め挿入も起き難くなり、挿入荷重が高くなってしまわないようにすることができる。
【００１６】
また、前記側壁部の少なくとも一部は、前記カバーの前記底壁部側の先端より前記底壁部側が前記ハウジング本体の内側に張り出すことによって肉厚になっていてもよい。
【００１７】
上記のコネクタによると、側壁部の少なくとも一部の底壁部側を肉厚にするので、側壁部がより反り難くなる。このため、作業用開口の開きをより確実に抑制できる。
ところで、側壁部を外側に張り出させることによって側壁部を肉厚にし、それによって作業用開口の開きを抑制することもできる。しかしながら、側壁部を外側に張り出させるとハウジング本体の体格が大きくなってしまう。また、側壁部をハウジング本体の内側に張り出させることによって肉厚にする場合、側壁部においてカバーの底壁部側の先端より作業用開口側を内側に張り出させると、作業用開口が狭くなるためカバーの形状まで変更しなければならなくなる。
これに対し、側壁部においてカバーの底壁部側の先端より底壁部側をハウジング本体の内側に張り出させることによって肉厚にすると、ハウジング本体の体格を大きくすることなく、且つ、カバーの形状を変更することなく作業用開口の開きを抑制できる。
【００１８】
また、前記側壁部は４つの側壁を有する略角筒状に形成されており、前記４つの側壁のうちいずれかの前記側壁には前記端子挿入口が設けられているとともに、当該側壁の外面に前記端子挿入口を囲む筒状部が一体に設けられており、前記端子挿入口が形成されている前記側壁以外の全ての前記側壁は、前記カバーの前記底壁部側の先端より前記底壁部側が前記ハウジング本体の内側に張り出すことによって肉厚になっていてもよい。
【００１９】
端子挿入口が形成されている側壁は筒状部が一体に設けられているため他の側壁に比べて開きが生じ難い。逆に言うと、他の側壁は端子挿入口が形成されている側壁に比べて開き易い。このため、端子挿入口が形成されている側壁以外の全ての側壁の底壁部側を肉厚にすると、ハウジング本体の全周に亘って肉厚にする場合に比べて肉厚にする範囲を狭くしつつ作業用開口の開きをより確実に抑制できる。
【発明の効果】
【００２０】
本明細書で開示するコネクタによれば、ハウジング本体に設けられている作業用開口の開きを抑制でき、ハウジング本体とカバーとの間の密閉性がより向上する。
【図面の簡単な説明】
【００２１】
【図１】実施形態１に係るコネクタの図４に示すＡ−Ａ−線の断面図
【図２】コネクタの分解斜視図
【図３】コネクタ及び機器の筐体の断面図
【図４】ハウジングの上面図
【図５】従来のコネクタにおいて作業用開口が開いている状態を示す模式図
【図６】実施形態２に係るコネクタの上面図
【発明を実施するための形態】
【００２２】
＜実施形態１＞
実施形態１を図１から図５を参照しながら説明する。以降の説明において上下方向とは図１に示す上下方向を基準とし、前後方向とは図１に示す前後方向を基準とする。
【００２３】
先ず、図１を参照して、実施形態１に係るコネクタ１、及び、コネクタ１が取り付けられるインバータの筐体２について概略的に説明する。コネクタ１はＵ相、Ｖ相、Ｗ相の３極のシールドコネクタであり、ハイブリッド自動車や電気自動車などに搭載されているインバータの筐体２に取り付けられてインバータと３相モータとを接続するものである。インバータは機器の一例である。
【００２４】
インバータの筐体２には嵌合穴２０、相手側端子２１、端子台２２などが設けられている。端子台２２は樹脂などで形成されており、ボルト６０が締結されるナット２３がモールド成形や圧入などによって埋め込まれている。
【００２５】
（１）コネクタの構成
図２に示すように、コネクタ１は合成樹脂製のハウジング３１、導電性の金属材からなる３つの中継端子３２、導電性の金属材からなる３つの端子３３、３つのゴム栓３４、バックリテーナ３５、シールドシェル３６、かしめリング３７、サービスカバー３８などを備えている。サービスカバー３８はカバーの一例である。
【００２６】
先ず、図２、図３及び図４を参照して、ハウジング３１について説明する。図３に示すように、ハウジング３１はハウジング本体４０、インバータの筐体２に設けられている嵌合穴２０に嵌合される嵌合部４１、及び、筒状部４２を有している。
ハウジング本体４０は側壁部４３と底壁部４４とを有する有底筒状に形成されている。より具体的には、図４に示すように、ハウジング本体４０は４つの側壁４３Ａ、４３Ｂ、４３Ｃ、４３Ｄを有する有底の略角筒状に形成されている。また、図３に示すように、ハウジング本体４０は底壁部４４と対向する作業用開口４５を有している。作業用開口４５は作業者がコネクタ１をインバータの筐体２に取り付ける作業を行うためのものである。
【００２７】
ハウジング本体４０の４つの側壁４３Ａ、４３Ｂ、４３Ｃ、４３Ｄのうち側壁４３Ｄには端子３３が挿入される端子挿入口４６が設けられている。図３では端子挿入口４６が一つしか示されていないが、側壁４３Ｄには３つの端子挿入口４６が紙面垂直方向に並んで設けられている。また、ハウジング本体４０の底壁部４４には中継端子３２が挿入される中継端子挿入口４７が形成されている。中継端子挿入口４７も紙面垂直方向に並んで３つ形成されている。
【００２８】
また、端子挿入口４６が形成されている側壁４３Ｄの内面からは端子３３を抜け止めするための抜け止め部４８が底壁部４４に平行に内側に延びている。抜け止め部４８の先端部は底壁部４４側に曲がっており、端子３３の抜け止め穴７３に先端部が挿入されることによって端子３３の抜けが防止される。
【００２９】
また、４つの側壁４３Ａ〜４３Ｄのうち端子挿入口４６が形成されている側壁４３Ｄと対向する側壁４３Ａの外面には作業用開口４５側の縁部にリブ４９が一体に設けられている。詳しくは後述するが、リブ４９はハウジング本体４０の外周方向に沿って延びている。側壁４３Ａは、端子挿入口４６が形成されている側壁４３Ｄ以外の側壁４３Ａ〜４３Ｃのうちハウジング本体４０の外周方向の幅が最も広い側壁の一例である。
また、詳しくは後述するが、側壁４３Ａはサービスカバー３８の底壁部４４側の先端より底壁部４４側の部分５０がハウジング本体４０の内側に張り出すことによって肉厚になっている。
【００３０】
嵌合部４１は中継端子挿入口４７の開口縁部から下方に向かって筒状に延びている。嵌合部４１の外周には溝が形成されており、その溝に第１ゴムリング５１が嵌着されている。第１ゴムリング５１は嵌合部４１の外周面と嵌合穴２０の内周面との間を密閉するものである。
また、嵌合部４１は中継端子挿入口４７から先端側に離間して嵌合部４１の内側に環状に張り出している段差部５２を有している。このため、嵌合部４１は段差部５２よりハウジング本体４０側の部分５３（以下、ハウジング本体側部分５３という）の内径が先端側の部分５４（以下、先端側部分５４という）の内径より大きくなっている。中継端子挿入口４７から段差部５２までの距離は中継端子３２のフランジ部５６の厚みと略一致している。
【００３１】
また、図４に示すように、嵌合部４１のハウジング本体側部分５３の内周形状は二つの平行線と二つの円弧とからなる略レーストラック形状をなしており、隣接する嵌合部４１に最も接近する対向部が直線状に形成されている。一方、嵌合部４１の先端側部分５４の内周形状は円形に形成されている。
【００３２】
図３に示すように、筒状部４２は端子挿入口４６が形成されている側壁４３Ｄの外面に一体に設けられており、端子挿入口４６を囲んで後側に筒状に延びている。図２に示すように、筒状部４２は３つの端子挿入口４６毎に設けられることによって全部で３つ設けられており、それら３つの筒状部４２は隣り合う筒状部４２間で側壁が一部共有されているとともに、共有されている側壁の後側が切り欠かれることによって内部空間が後側で一体化している。
【００３３】
次に、図２及び図３を参照して、中継端子３２について説明する。図３に示すように、中継端子３２は円筒状に延びる軸部５５と、軸部５５の上端部から径方向外側に張り出すフランジ部５６とを備えている。軸部５５の外周形状は円形であり、嵌合部４１の先端側部分５４の内周形状と略一致している。これに対し、図２に示すように、フランジ部５６の外周形状は嵌合部４１のハウジング本体側部分５３の内周形状と略一致するレーストラック形状に形成されており、各中継端子３２がそれぞれ嵌合部４１に挿入された状態において、隣り合う他のフランジ部５６に最も接近する対向部が直線状に形成されている。
【００３４】
次に、図１及び図２を参照して、端子３３、ゴム栓３４、バックリテーナ３５、かしめリング３７、及び、サービスカバー３８について説明する。図２に示すように、端子３３は平板状に形成されており、後側に設けられているバレル部７１に電線Ｗが圧着されている。また、端子３３には端子３３を中継端子３２に固定するためのボルト６０（図１参照）が挿通される挿通穴７２が設けられているとともに、長さ方向の概ね中央に抜け止め穴７３が設けられている。前述したように抜け止め穴７３には抜け止め部４８の先端部が挿入される。
【００３５】
ゴム栓３４は電線Ｗの外周面と筒状部４２の内周面との間を密閉するものであり、電線Ｗに外嵌される。
バックリテーナ３５はゴム栓３４の抜けを防止するものであり、ゴム栓３４の後方から筒状部４２の開口縁部に嵌合装着される。
【００３６】
シールドシェル３６は筒状部４２の外周面に外嵌される。また、シールドシェル３６の外周面にはかしめリング３７が外嵌され、かしめリング３７をかしめて圧着することで図示しないシールド部材がシールドシェル３６の外周面に接続される。
【００３７】
サービスカバー３８は作業用開口４５からハウジング本体４０内に圧入されて作業用開口４５を塞ぐものである。図１に示すように、サービスカバー３８は作業用開口４５よりも一回り大きい略矩形の板状に形成されている蓋部３８Ａと、蓋部３８Ａの下面から下方に延びている圧入部３８Ｂとを有している。圧入部３８Ｂの外周には溝が形成されており、その溝に第２ゴムリング３８Ｃが嵌着されている。第２ゴムリング３８Ｃはサービスカバー３８の外周面とハウジング本体４０の側壁部４３の内周面との間を密閉するものである。
【００３８】
（２）リブ及び側壁の肉厚
次に、図４を参照して、前述したリブ４９、及び、側壁４３Ａの肉厚について具体的に説明する。図４に示すように、リブ４９は側壁４３Ａの外面にハウジング本体４０の外周方向全体に亘って設けられている。より具体的には、ハウジング本体４０は隣り合う二つの側壁の間に湾曲したコーナー部分７５を有しており、側壁４３Ａに設けられているリブ４９は側壁４３Ａの両側に隣接する２つのコーナー部分７５の端（側壁４３Ａから遠い方の端）まで延びている。
【００３９】
また、前述したように、側壁４３Ａは底壁部４４側の部分５０がハウジング本体４０の内側に張り出すことによって肉厚になっている。より具体的には、実施形態１では、側壁４３Ａに加えて、側壁４３Ａの両側のコーナー部分７５、側壁４３Ｂの一部、及び、側壁４３Ｃの一部も底壁部４４側の部分５０が肉厚になっている。なお、底壁部４４側の部分５０の肉厚をどの程度厚くするかは要求される密閉性などに応じて適宜に決定することができる。
【００４０】
（３）コネクタの取り付け
次に、図１及び図３を参照して、コネクタ１の筐体２への取り付けについて説明する。コネクタ１の筐体２への取り付けでは、先ず、図３に示すように、中継端子３２が嵌合部４１の内側に挿入される。中継端子３２が嵌合部４１の内側に挿入されるとフランジ部５６が段差部５２に当接して中継端子３２の抜けが防止される。
【００４１】
そして、端子３３などの他の構成部品がコネクタ１に組み付けられた後、図１に示すように嵌合部４１が嵌合穴２０に嵌合される。嵌合部４１が嵌合穴２０に嵌合されている状態のとき、中継端子３２の軸部５５の先端は嵌合部４１の下端から下方に突出した状態となる。その状態でボルト６０が端子３３、中継端子３２、相手側端子２１の順に挿通され、端子台２２のナット２３に締結される。これによりコネクタ１が筐体２に取り付けられるとともに、端子３３と相手側端子２１とが中継端子３２を介して電気的に導通される。
そして、作業用開口４５からハウジング本体４０内にサービスカバー３８が圧入されることによって作業用開口４５が塞がれる。
【００４２】
（４）実施形態の効果
図５を参照して、実施形態１に係るコネクタ１の効果について説明する。本願発明者は、リブ４９が設けられていない従来のコネクタ３００及び実施形態１に係るコネクタ１のそれぞれについて、端子挿入口４６や中継端子挿入口４７を塞いだ状態で水に沈め、空気充填用に設けた穴からハウジング本体４０の内部に高圧の空気を充填する実験を行った。その結果、図５に示すように、従来のコネクタ３００は空気の圧力がある圧力まで達したときに側壁部が反って作業用開口が開き、内部の空気が漏れ始めた。これに対し、実施形態１に係るコネクタ１は同じ圧力でも空気の漏れは確認されなかった。
【００４３】
このように、実施形態１に係るコネクタ１によると、側壁部４３の外面にハウジング本体４０の外周方向に沿って延びているリブ４９が一体に設けられているので、リブ４９が設けられていない場合に比べて作業用開口４５の開きを抑制できる。これにより、ハウジング本体４０とサービスカバー３８との間の密閉性がより向上する。
【００４４】
ところで、コネクタ１を筐体２に取り付けた後にメンテナンスなどのためにコネクタ１を取り外したい場合もある。その場合、従来は側壁部４３の外面にリブ４９が設けられていなかったため作業者は指を掛ける場所がなく、コネクタ１を取り外し難かった。コネクタ１によると、側壁部４３の外面にリブ４９が設けられているので、作業者はリブ４９に指を掛けることにより、コネクタ１を取り外し易くなる。このため取り外し作業の作業効率が向上する。
【００４５】
更に、コネクタ１によると、端子挿入口４６が形成されている側壁４３Ｄ以外の側壁４３Ａ〜４３Ｃのうち少なくとも外周方向の幅が最も広い側壁４３Ａにリブ４９が設けられている。側壁４３Ｄは筒状部４２が一体に設けられているため他の側壁４３Ａ〜４３Ｃに比べて開きが生じ難い。逆に言うと、他の側壁４３Ａ〜４３Ｃは側壁４３Ｄに比べて開き易い。特に、外周方向の幅が最も広い側壁４３Ａは最も開き易い。このため、端子挿入口４６が形成されている側壁４３Ｄ以外の側壁４３Ａ〜４３Ｃのうち少なくとも外周方向の幅が最も広い側壁４３Ａにリブ４９を設けると、ハウジング本体４０の全周に亘ってリブ４９を設ける場合に比べてリブ４９を設ける範囲を狭くしつつ作業用開口４５の開きを抑制できる。
【００４６】
更に、コネクタ１によると、リブ４９は、側壁部４３の作業用開口４５側の縁部に沿って設けられているので、作業用開口４５側の縁部から底壁部４４側に離間した位置にリブ４９が設けられている場合に比べて作業用開口４５の開きを抑制できる。
【００４７】
ところで、作業用開口４５側の縁部から底壁部４４側に離間した位置にリブ４９が設けられている場合、作業者はコネクタ１を筐体２に取り付けるときに側壁部４３の端面を手で押すことになり、十分に力を加えることが難しい上、作業者の手が痛くなってしまう。また、手が痛くならないようコネクタ１のハウジング本体４０以外の部分を押し込むと斜め挿入となってしまい、最後まで挿入するためにより高い挿入荷重が必要となってしまう。
【００４８】
これに対し、コネクタ１によると、リブ４９が側壁部４３の作業用開口４５側の縁部に沿って設けられているので、作業者はリブ４９に手を当てて押し込むことができ、それによりコネクタ１に十分に力を加えることができるとともに、手も痛くなり難い。また、ハウジング本体４０自体を押し込むため斜め挿入も起き難くなり、挿入荷重が高くなってしまわないようにすることができる。
【００４９】
更に、コネクタ１によると、側壁部４３の少なくとも一部は、サービスカバー３８の底壁部４４側の先端より底壁部４４側の部分５０がハウジング本体４０の内側に張り出すことによって肉厚になっているので、側壁部４３がより反り難くなる。このため、作業用開口４５の開きをより確実に抑制できる。
【００５０】
ところで、側壁部４３を外側に張り出させることによって側壁部４３を肉厚にし、それによって作業用開口４５の開きを抑制することもできる。しかしながら、側壁部４３を外側に張り出させるとハウジング本体４０の体格が大きくなってしまう。また、側壁部４３をハウジング本体４０の内側に張り出させることによって肉厚にする場合、側壁部４３においてサービスカバー３８の底壁部４４側の先端より作業用開口４５側を内側に張り出させると、作業用開口４５が狭くなるためサービスカバー３８の形状まで変更しなければならなくなる。
【００５１】
これに対し、底壁部４４側の部分５０をハウジング本体４０の内側に張り出させると、ハウジング本体４０の体格を大きくすることなく、且つ、サービスカバー３８の形状を変更することなく作業用開口４５の開きを抑制できる。
【００５２】
更に、コネクタ１によると、端子挿入口４６が形成されている側壁４３Ｄ以外の全ての側壁４３Ａ〜４３Ｃは、底壁部４４側の部分５０が肉厚になっている。側壁４３Ｄは筒状部４２が一体に設けられているため他の側壁４３Ａ〜４３Ｃに比べて開きが生じ難い。逆に言うと、他の側壁４３Ａ〜４３Ｃは側壁４３Ｄに比べて開き易い。このため、端子挿入口４６が形成されている側壁４３Ｄ以外の全ての側壁４３Ａ〜４３Ｃの底壁部４４側を肉厚にすると、ハウジング本体４０の全周に亘って肉厚にする場合に比べて肉厚にする範囲を狭くしつつ作業用開口４５の開きをより確実に抑制できる。
【００５３】
＜実施形態２＞
次に、実施形態２を図６によって説明する。
前述した実施形態１ではリブ４９が側壁４３Ａと側壁４３Ａの両側のコーナー部分７５とに設けられている場合を例に説明した。これに対し、図６に示すように、実施形態２に係るコネクタ２００はリブ４９が側壁４３Ａの両側の側壁４３Ｂ及び４３Ｃの途中まで延びている。言い換えると、コネクタ２００は、端子挿入口４６が形成されている側壁４３Ｄ以外の全ての側壁４３Ａ〜４３Ｃにリブ４９が設けられている。実施形態２に係るコネクタ２００はその他の点において実施形態１に係るコネクタ１と実質的に同一である。
【００５４】
以上説明した実施形態２に係るコネクタ２００によると、端子挿入口４６が形成されている側壁４３Ｄ以外の全ての側壁４３Ａ〜４３Ｃにリブ４９が設けられているので、作業用開口４５の開きをより確実に抑制できる。
【００５５】
＜他の実施形態＞
本明細書によって開示される技術は上記記述及び図面によって説明した実施形態に限定されるものではなく、例えば次のような実施形態も本明細書によって開示される技術的範囲に含まれる。
【００５６】
（１）上記実施形態では端子挿入口４６が形成されている側壁４３Ｄの外面に端子挿入口４６を囲む筒状部４２が一体に設けられている場合を例に説明した。これに対し、筒状部４２は必ずしも設けられていなくてもよい。
【００５７】
（２）上記実施形態ではリブ４９が側壁部４３の作業用開口４５側の縁部に沿って設けられている場合を例に説明した。これに対し、リブ４９は作業用開口４５側の縁部から底壁部４４側に離間した位置に設けられていてもよい。
【００５８】
（３）上記実施形態では端子挿入口４６が形成されている側壁４３Ｄ以外の側壁４３Ａ〜４３Ｃは全て底壁部４４側が肉厚になっている場合を例に説明した。これに対し、側壁４３Ａ〜４３Ｃのうち外周方向の幅が最も広い側壁４３Ａのみ底壁部４４側を肉厚にしてもよい。また、リブ４９のみで側壁部４３の開きを十分に抑制できる場合は、いずれの側壁４３Ａ〜４３Ｄも底壁部４４側を肉厚にしないようにしてもよい。
【符号の説明】
【００５９】
２…筐体、２０…嵌合穴、２１…相手側端子、３２…中継端子、３３…端子、３８…サービスカバー（カバー）、４０…ハウジング本体、４１…嵌合部、４２…筒状部、４３…側壁部、４３Ａ、４３Ｂ、４３Ｃ、４３Ｄ…側壁、４４…底壁部、４５…作業用開口、４６…端子挿入口、４７…中継端子挿入口、４９…リブ、２００…コネクタ
【図１】
2017016844.tif 000003
【図２】
2017016844.tif 000004
【図３】
2017016844.tif 000005
【図４】
2017016844.tif 000006
【図５】
2017016844.tif 000007
【図６】
2017016844.tif 000008